(57)【要約】【課題】複数の液晶表示部を狭間隔で配置するとともに良好に開閉でき、片手においても良好な保持性、操作性を有する電子機器を提供する。【解決手段】筐体２Ａ，２Ｂを支持するヒンジ部３の外径ｄ2より小なる間隔ｄ1で表示ユニット４０Ａ，４０Ｂの軸４００Ａ，４００Ｂを支持し、筐体２Ａ，２Ｂの開閉に応じて表示ユニット４０Ａ，４０Ｂを開閉させる。このことにより、表示ユニット４０Ａ，４０Ｂの見開き状態、折り畳み状態に関係なく回動軸を一定の間隔に近接させることができ、表示ユニット４０Ａ，４０Ｂをひとつの画面部として画像を表示させるような場合でも表示ユニット４０Ａ，４０Ｂの境界が目立たなくなってユーザに違和感を与えることがない。【選択図】        図１
2005275964.tif 000002
【特許請求の範囲】
【請求項１】
第１の支持部によって開閉自在に支持され、見開き時に前記第１の支持部の両側に第１の間隔を有して配置される第１および第２の筐体と、
前記第１および第２の筐体の内側で第２の支持部によって開閉自在に支持され、見開き時に前記第２の支持部の両側に前記第１の間隔より狭い第２の間隔を有して前記第１および第２の筐体上に配置される第１および第２の表示ユニットを有する電子機器。
【請求項２】
前記第１および第２の表示ユニットは、折り畳まれた状態から見開き状態にかけて移行するとき前記第２の支持部によって支持される支持端部とは反対側の自由端部が前記第１および第２の筐体上を走行する請求項１記載の電子機器。
【請求項３】
前記第１および第２の筐体は、前記第１および第２の表示ユニットの前記自由端部の走行をガイドするスライドレール部を有し、
前記第１および前記第２の表示ユニットは、前記スライドレール部上を走行する係合突起を前記自由端部に有する請求項２記載の電子機器。
【請求項４】
前記第２の支持部は、前記第１および第２の表示ユニットを回動自在に支持する第１および第２の支持軸と、
前記第１および第２の支持軸を両側で一定の位置関係で固定する支持プレートと、
折り畳まれた状態から見開き状態にかけて移行するとき前記支持プレートを所定の方向へスライドさせるスライド軸を有する請求項１記載の電子機器。
【請求項５】
前記第２の支持部は、前記第１および第２の表示ユニットの支持軸を支持するとともに前記第１の支持部に設けられるガイド溝に沿って往復移動自在にガイドされるスライド軸を前記支持プレートに有する請求項４記載の電子機器。
【請求項６】
前記第１および第２の表示ユニットは、折り畳まれた状態から見開き状態にかけて移行するとき前記第２の支持部によって支持される支持端部とは反対側の端部が前記第１および第２の筐体の所定の位置で回動的に固定される請求項１記載の電子機器。
【請求項７】
前記第１および第２の表示ユニットは、折り畳まれた状態から見開き状態にかけて移行するとき前記第２の支持部および前記第２の支持部によって支持される支持端部とは反対側の自由端部が前記第１および第２の筐体内に収容されている位置から前記第１および第２の筐体上へ浮上する請求項１記載の電子機器。
【請求項８】
前記第１および第２の筐体は、前記第１および第２の表示ユニットの前記自由端部の走行をガイドする曲線状のスライドレール部を有し、
前記第１および前記第２の表示ユニットは、前記曲線状のスライドレール部上を走行する係合突起を前記自由端部に有する請求項２記載の電子機器。
【発明の詳細な説明】
【技術分野】
【０００１】
本発明は、文字、画像、動画等の情報を液晶等の表示部に表示させる電子機器に関する。
【背景技術】
【０００２】
従来、書籍を構成する文字、画像等の情報を電子データ化して構成されたデジタルコンテンツを液晶等の表示器に表示させる電子書籍が提案されている（例えば、特許文献１参照。）
【０００３】
特許文献１に記載された電子書籍は、２つの筐体を開閉可能に連結する筒状体からなる綴じ部分を有し、綴じ部分は２つの筐体を合わせた以上の厚みを有して構成されている。この綴じ部分は、内部に制御回路と、駆動回路と、これらに電力を供給するバッテリとを内蔵している。
【０００４】
特許文献１に記載された電子書籍によれば、綴じ部分に制御回路、駆動回路、バッテリ、及びコネクタを収容することによって、本来的に薄い液晶表示素子やスイッチ類を収容した薄型の筐体が得られることにより、電子書籍の薄型化が達成される。
【特許文献１】特開２００１−１００６６７号公報（［００２３］、［００２４］、図１（Ｂ））
【発明の開示】
【発明が解決しようとする課題】
【０００５】
しかし、特許文献１に記載された電子書籍によると、制御回路、駆動回路、バッテリ等の部品を収容しうる綴じ部分が２つの筐体の間に設けられているため、綴じ部分が大径化して２つの液晶表示部の間隔が大になるという問題がある。このため、２つの液晶表示部を用いて１つの表示画面を表示させようとすると、液晶表示部の境界が目立ってユーザに違和感を与えてしまう。また、綴じ部分が液晶表示部を含む筐体の開閉に耐える機械的強度を有した構成であることにより、この部分の重量が大になるだけでなく、電子書籍の中央部分に重心が位置することとなり、書籍を扱うように電子書籍を片手で保持、操作しようとすると重量バランスが悪く、使いにくいという問題がある。
【０００６】
従って、本発明の目的は、複数の液晶表示部を狭間隔で配置するとともに良好に開閉でき、片手においても良好な保持性、操作性を有する電子機器を提供することにある。
【課題を解決するための手段】
【０００７】
第１の発明は、上記した目的を達成するため、第１の支持部によって開閉自在に支持され、見開き時に前記第１の支持部の両側に第１の間隔を有して配置される第１および第２の筐体と、前記第１および第２の筐体の内側で第２の支持部によって開閉自在に支持され、見開き時に前記第２の支持部の両側に前記第１の間隔より狭い第２の間隔を有して前記第１および第２の筐体上に配置される第１および第２の表示ユニットを有する電子機器を提供する。
【発明の効果】
【０００８】
本発明によれば、複数の液晶表示部を狭間隔で配置でき、液晶表示部の境界が目立つことがない。また、開閉を容易に行えるようになり、ユーザが電子機器を片手で使用する場合であっても良好な保持性、操作性が得られる。
【発明を実施するための最良の形態】
【０００９】
［第１の実施の形態］
図１は、本発明の第１の実施の形態に係る電子機器の外観を示す斜視図である。第１の実施の形態は、第１および第２の筐体に収容される第１および第２の表示ユニットを筐体の開閉動作に基づいて開閉させるものである。
【００１０】
（電子機器の外観構成）
この電子機器１は、ヒンジ部３（第１の支持部）を中心に見開いた状態（以下、「見開き状態」という。）に開閉可能に設けられた第１および第２の筐体２Ａ，２Ｂと、第１および第２の筐体２Ａ，２Ｂにそれぞれ設けられた第１および第２の表示ユニット４０Ａ，４０Ｂとを備え、第１および第２の表示ユニット４０Ａ，４０Ｂは、第１および第２の画面部４Ａ，４Ｂを有する。
【００１１】
（筐体の構成）
第１の筐体２Ａには、電源を投入する電源スイッチ６、表示ユニット４０Ａ，４０Ｂに表示されるカーソルを移動させてメニューを選択するカーソルスイッチ７、および表示ユニット４０Ａ，４０Ｂに表示する画像のページ送りをページ単位で指示する第１のページ送りスイッチ８Ａを設け、第２の筐体２Ｂには、画面部４Ａ，４Ｂに表示する画像のページ送りをページ単位で指示する第２のページ送りスイッチ８Ｂのみを設けている。また、第１および第２の筐体２Ａ，２Ｂは、第１および第２の表示ユニット４０Ａ，４０Ｂを収容する段部２００を有している。なお、スイッチは、上記に限定されず、必要に応じてファンクションキー等の様々なスイッチ類を配置することができる。
【００１２】
（表示ユニットの構成）
第１の表示ユニット４０Ａは、文字、画像等の情報を表示する第１の画面部４Ａと、側方に配置されて第１の画面部４Ａを透過照明するバックライト光源としての蛍光管を収容する蛍光管収容部４５Ａとを有し、蛍光管収容部４５Ａは外装の一部として金属材料で形成されている。また、ヒンジ部３側の端部が固定側として軸４００Ａを介して表示ユニット軸部４００（第２の支持部）に固定されており、蛍光管収容部４５Ａ側の端部が可動側として係合部４１０を介して第１の筐体２Ａのスライドレール部２００Ａに摺動自在に支持されている。
【００１３】
第２の表示ユニット４０Ｂは、文字、画像等の情報を表示する第２の画面部ＢＡと、側方に配置されて第２の画面部４Ｂを透過照明するバックライト光源としての蛍光管を収容する蛍光管収容部４５Ｂとを有し、蛍光管収容部４５Ｂは外装の一部として金属材料で形成されている。また、ヒンジ部３側の端部が固定側として軸４００Ｂを介して表示ユニット軸部４００に固定されており、蛍光管収容部４５Ｂ側の端部が可動側として係合部４１０を介して第２の筐体２Ｂのスライドレール部２００Ｂに摺動自在に支持されている。
【００１４】
表示ユニット軸部４００は、第１および第２の表示ユニット４０Ａ、４０Ｂを支持しうる機械的強度を有する金属材料によって形成されており、ヒンジ部３と分離して設けられて軸４００Ａ、４００Ｂをヒンジ部３の外径より小なる間隔で配置するとともに回動自在に支持している。
【００１５】
図２は、電子機器を部分的に示し、（ａ）は第１の表示ユニットの斜視図、（ｂ）は第１の表示ユニットの可動端の角部を示す拡大図である。
【００１６】
（表示ユニットのスライド構造）
第１の表示ユニット４０Ａは、（ｂ）に示すように可動端の角部に係合部４１０が取り付けられている。係合部４１０は、第１の筐体２Ａに設けられるスライドレール部２００Ａと係合する係合突起４１０Ａを有し、係合突起４１０Ａは、スライドレール部２００Ａに沿って摺動自在に支持されている。なお、図示しない第２の表示ユニット４０Ｂについても同様に構成されており、可動端の角部に係合部４１０が取り付けられている。係合部４１０の係合突起４１０Ａは、スライドレール部２００Ｂに沿って摺動自在に支持されている。
【００１７】
（電子機器の制御系）
図３は、この電子機器の制御系を示す制御ブロック図である。この電子機器１は、全体を制御するＣＰＵ（Central Processing Unit）１０を有し、このＣＰＵ１０に、電子機器１の種々の動作プログラムが格納されたＲＯＭ（Read Only Memory）１１、データを一時格納して使用されるＲＡＭ（Random Access Memory）１２、メモリカード１３からデータを読み取るカードドライブ１４、データを蓄積するＨＤＤ（Hard Disk Drive）１５、および外部と通信する通信部１８を各々接続するとともに、上述した各種スイッチ６，７，８Ａ，８Ｂをスイッチ信号入力部１９を介して接続し、第１および第２の表示ユニット４０Ａ，４０ＢをＬＣＤ（Liquid Crystal Display）制御部２０を介して各々接続している。
【００１８】
第１の表示ユニット４０Ａは、画像を表示する表示部としての第１のＬＣＤであり、背面に透過照明用の光を導光する光透過性樹脂からなる導光体４１Ａと、導光体４１Ａに光を入射する光源である蛍光管４２Ａと、導光体４１Ａを介して導光される光を反射する反射板４３Ａとを有し、導光体４１Ａは、光入射面側の厚さが光入射面に対向する面と比較して大になるように形成されている。
【００１９】
ＬＣＤ制御部２０は、表示ユニット４０Ａ，４０Ｂへの画像の表示制御を行うものである。
【００２０】
表示ユニット４０Ａ，４０Ｂは、透過型であり、蛍光管４２Ａから放射される光に基づく照明を受けて文字、画像を表示する。表示ユニット４０Ａ，４０Ｂの代りに、プラズマディスプレイ等の他の薄型表示装置を用いることもできる。
【００２１】
メモリカード１３は、いずれかの筐体２Ａ，２Ｂに設けられた図示しないカードスロットに挿入され、カードドライブ１４によってメモリカード１３の記録内容が読み取られる。メモリカード１３には、文庫本，漫画本，教科書，辞書，百科事典，雑誌等の書籍や新聞等の紙媒体に記載された文字，図形等からなる画像が電子データ化されたデジタルコンテンツがデータとして記録されている。メモリカード１３として、ＳＤ(Secure Digital)メモリカードを用いることができるが、ＳＤメモリカードの他に、ＣＤ（Compact Disc），ＭＤ（Mini Disc），ＦＤ（Floppy（登録商標） Disk）等を用いることができる。
【００２２】
ＨＤＤ１５は、メモリカード１３あるいは通信部１８から複数の書籍等のデジタルコンテンツデータを取り込んで格納できる記憶容量を有する。
【００２３】
通信部１８は、Bluetooth（登録商標）の無線規格や、無線ＬＡＮ(Local Area Network)規格の通信方式を用いて外部のサーバやＰＣ等と通信を行うものであるが、ＵＳＢ(Universal Serial Bus)による通信を行ってもよい。
【００２４】
（利用態様）
この電子機器１は、見開き状態とすることにより電子書籍として利用することが可能である。見開き状態では、ヒンジ部３を縦方向としてユーザが手で筐体を保持することによる手持ち状態での使用が可能である。具体的には、第１および第２の筐体２Ａ，２Ｂをユーザが両手で保持し、親指等で第１および第２のページ送りスイッチ８Ａ、８Ｂを操作する。なお、ヒンジ部３の下部付近をユーザが片手で保持することも可能である。
【００２５】
第１および第２の画面部４Ａ，４Ｂには、例えば、書籍の各ページに対応する画像を各々表示させることが可能である。また、同一の画像を各々表示させることも可能である。更に、第１および第２の画面部４Ａ，４Ｂをひとつの画面部としてひとつの画像を表示させることも可能である。
【００２６】
（表示ユニット４０Ａ，４０Ｂの配置）
図４から図６は、第１の実施の形態における表示ユニットの配置を示す動作図である。以下の説明では、筐体２Ａ，２Ｂと表示ユニット４０Ａ，４０Ｂの位置関係を示すために要部について簡素化した図に基づいて説明する。
【００２７】
図４は、筐体２Ａ，２Ｂを閉じた状態であり、破線で示す表示ユニット４０Ａ，４０Ｂは筐体２Ａ，２Ｂの上述した段部２００に収容されている。表示ユニット４０Ａ，４０Ｂは、軸４００Ａ，４００Ｂによってヒンジ部３の外径ｄ2より小なる間隔ｄ1で表示ユニット軸部４００に回動自在に支持される。
【００２８】
図５は、筐体２Ａ，２Ｂを途中まで開いた状態（左右約４５度）を示す図である。表示ユニット４０Ａ，４０Ｂは、筐体２Ａ，２Ｂの開動作に基づいて軸４００Ａ，４００Ｂの間隔ｄ1を保った状態で回動する。このとき、表示ユニット４０Ａ，４０Ｂと係合している係合突起４１０Ａは、筐体２Ａ，２Ｂの上述したスライドレール部２００Ａ，２００Ｂに沿って矢印方向に摺動することにより軸４００Ａ，４００Ｂの回動を許容する。
【００２９】
図６は、筐体２Ａ，２Ｂをほぼ全開まで開いた状態を示す図である。表示ユニット４０Ａ，４０Ｂの係合突起４１０Ａは、筐体２Ａ，２Ｂの開動作に基づいて更に矢印方向に摺動することにより軸４００Ａ，４００Ｂの回動を許容する。このことにより、軸４００Ａ，４００Ｂの間隔ｄ1が保たれた状態で表示ユニット４０Ａ，４０Ｂがほぼ全開となる。
【００３０】
（第１の実施の形態の効果）
上記した第１の実施の形態によれば、以下の効果が得られる。
（１）筐体２Ａ，２Ｂを支持するヒンジ部３の外径ｄ2より小なる間隔ｄ1で表示ユニット４０Ａ，４０Ｂの軸４００Ａ，４００Ｂを支持し、筐体２Ａ，２Ｂの開閉に応じて表示ユニット４０Ａ，４０Ｂを開閉させるので、表示ユニット４０Ａ，４０Ｂの見開き状態、折り畳み状態に関係なく回動軸を一定の間隔に近接させることができ、表示ユニット４０Ａ，４０Ｂをひとつの画面部として画像を表示させるような場合でも表示ユニット４０Ａ，４０Ｂの境界が目立たなくなってユーザに違和感を与えることがない。
【００３１】
（２）表示ユニット軸部４００を筐体２Ａ，２Ｂの開閉用のヒンジ部３と独立して設けて軸４００Ａ，４００Ｂを支持するようにしたので、表示ユニット軸部４００は、表示ユニット４０Ａ，４０Ｂを支持するのに必要な強度を有していれば良く、そのことにより表示ユニット支持構造の簡素化を図ることができ、軸４００Ａ，４００Ｂを狭間隔で支持することができる。
【００３２】
（３）筐体２Ａ，２Ｂを支持するヒンジ部３は、筐体２Ａ，２Ｂを支持するのに必要な強度を有していれば良いことから、ヒンジ部３の大径化、重量物の集中を防ぐことができ、ユーザが電子機器を片手で使用する場合であっても良好な保持性、操作性が得られる。
【００３３】
（４）第１および第２の画面部４Ａ，４Ｂを透過照明する蛍光管４２Ａ，４２Ｂをヒンジ部３側の反対側の側方に配置するようにしたので、第１および第２の画面部４Ａ，４Ｂの境界部分に視覚を遮る障害物がなく、画像の表示性を高めることができる。
【００３４】
なお、第１の実施の形態では、筐体２Ａ，２Ｂの段部２００に形成されたスライドレール部２００Ａ，２００Ｂと表示ユニット４０Ａ，４０Ｂに取り付けられた係合部４１０とを摺動自在に係合させた構成を説明したが、筐体２Ａ，２Ｂの開閉に連動して表示ユニット４０Ａ，４０Ｂを開閉させる他の構成を適用することも可能である。例えば、筐体２Ａ，２Ｂに係合させる係合部を表示ユニット４０Ａ，４０Ｂの側部ではなく背面に設け、筐体２Ａ，２Ｂの対応する位置に設けたガイド溝等により、開閉動作に連動させて摺動させるようにしても良い。
【００３５】
また、表示ユニット４０Ａ，４０Ｂの背面にマグネット等の第１の磁着部を設け、更に筐体２Ａ，２Ｂ側に第１の磁着部と磁着する第２の磁着部を設けて磁着面を摺動させるようにしても良い。
【００３６】
また、第１の実施の形態では、電子機器１で表示させる画像をメモリカード１３から読み込んで表示させる構成を説明したが、通信部１８を介して外部のサーバ、ＰＣ等の他の機器との通信を行うことにより入手して表示させるようにしても良い。
【００３７】
また、表示ユニット４０Ａ，４０Ｂに画像等の表示機能に加えてスタイラスペンやキートップ配置に基づく入力機能を持たせても良い。
【００３８】
［第２の実施の形態］
図７は、第２の実施の形態に係る電子機器の外観を示し、（ａ）は全体を示す斜視図、（ｂ）は第１および第２の表示ユニットの支持構造を示す部分拡大図である。第２の実施の形態は、第１および第２の表示ユニットの開閉動作に基づいて筐体を第１および第２の表示ユニットの表面で摺動させるものである。なお、以下の説明において、第１の実施の形態と同一の構成および機能を有する部分については同一の引用数字を付している。
【００３９】
（電子機器の外観構成）
この電子機器１は、（ａ）に示すように見開き状態に開閉可能に設けられた第１および第２の表示ユニット４０Ａ，４０Ｂと、第１の表示ユニット４０Ａの蛍光管収容部４５Ａに設けられる電源スイッチ６、カーソルスイッチ７、および第１のページ送りスイッチ８Ａと、第２の表示ユニット４０Ｂの蛍光管収容部４５Ａに設けられる第２のページ送りスイッチ８Ｂと、回路基板、電源等の部品を収容する筐体と一体的に形成されて第１および第２の第１の表示ユニット４０Ａ，４０Ｂの側部に摺動自在に設けられる筐体スライドレール部２０１Ａ，２０１Ｂと、表示ユニット４０Ａ，４０Ｂおよび筐体スライドレール部２０１Ａ，２０１Ｂの回動部分を支持する軸・ヒンジ部３０（第１の支持部）とを有する。
【００４０】
軸・ヒンジ部３０は、（ｂ）に示すように筐体スライドレール部２０１Ａ，２０１Ｂの回動軸４０１Ａ，４０１と、表示ユニット４０Ａ，４０Ｂの軸（支持軸）４００Ａ，４００Ｂを回動自在に支持する支持プレート４０１（第２の支持部）に設けられるスライド軸２０２とを支持している。
【００４１】
スライド軸２０２は、ガイド溝３０Ａ内で回転することがないように角部を面取りされた長方形状の断面を有し、表示ユニット４０Ａ，４０Ｂの開き具合のバランスが崩れることを防ぐとともに、ガイド溝３０Ａに沿って垂直方向に移動可能に支持されている。
【００４２】
（筐体の構成）
図８は、電子機器の筐体の構成を示す斜視図である。第１および第２の筐体２Ａ，２Ｂは、機械的強度を有する樹脂材料によって形成されており、軸・ヒンジ部３０側から表示ユニット４０Ａ，４０Ｂのほぼ中央外側にかけてを覆うように設けられている。この第１および第２の筐体２Ａ，２Ｂの内部には、回路、基板、バッテリ等の部品が電子書籍として使用されるときに最適な重量バランスとなるようなレイアウトで収容されている。スライド軸２０２は、図示するように、表示ユニット４０Ａ，４０Ｂを閉じた状態では、ガイド溝３０Ａの最も下の位置に配置される。
【００４３】
（表示ユニット４０Ａ，４０Ｂの配置）
図９および図１０は、第２の実施の形態における表示ユニットの配置を示す動作図である。
【００４４】
図９は、表示ユニット４０Ａ，４０Ｂを途中まで開いた状態（左右約４５度）を示す図である。表示ユニット４０Ａ，４０Ｂを開くことにより、スライド軸２０２がガイド溝３０Ａに沿って矢印方向に上昇する。また、筐体スライドレール部２０１Ａ，２０１Ｂは、表示ユニット４０Ａ，４０Ｂの開動作に基づいて表示ユニット４０Ａ，４０Ｂの側部を摺動自在に保持することによって軸４００Ａ，４００Ｂの回動を許容する。このことにより、第１および第２の筐体２Ａ，２Ｂは、表示ユニット４０Ａ，４０Ｂの表面を摺動しながら開動作を許容する。
【００４５】
図１０は、筐体２Ａ，２Ｂをほぼ全開まで開いた状態を示す図である。表示ユニット４０Ａ，４０Ｂを更に開くことにより、スライド軸２０２がガイド溝３０Ａに沿って矢印方向に更に上昇する。図示する状態から更に表示ユニット４０Ａ，４０Ｂを更に開くと、表示ユニット４０Ａ，４０Ｂが１８０度に開かれて平坦となる。このとき、スライド軸２０２は、ガイド溝３０Ａの上端に当接し、そのことによって開方向への軸４００Ａ，４００Ｂの回動が規制される。
【００４６】
（第２の実施の形態の効果）
上記した第２の実施の形態によれば、以下の効果が得られる。
（１）軸４００Ａ，４００Ｂを支持する支持プレート４０１に設けられるスライド軸２０２を、軸・ヒンジ部３０のガイド溝３０Ａに沿って往復移動可能な支持構造とすることで、表示ユニット４０Ａ，４０Ｂを筐体内収容構造としなくても回動軸を一定の間隔に近接させた状態で開閉可能な構造とすることができる。そのため、表示ユニット４０Ａ，４０Ｂの見開き状態、折り畳み状態に関係なく表示ユニット４０Ａ，４０Ｂをひとつの画面部として画像を表示させるような場合でも表示ユニット４０Ａ，４０Ｂの境界が目立たなくなってユーザに違和感を与えることがない。
【００４７】
（２）表示ユニット４０Ａ，４０Ｂを筐体内に収容しないので、筐体２Ａ，２Ｂのサイズを小形化することができ、軽量化された電子機器１が得られる。
【００４８】
（３）表示ユニット４０Ａ，４０Ｂを１８０度まで開くことができ、そのことによって第１および第２の画面部４Ａ，４Ｂが平坦になるので、写真画像、地図等の画像を大画面で、かつ、良好な視認性で表示させることができる。
【００４９】
［第３の実施の形態］
図１１は、第３の実施の形態に係る電子機器の外観を示す斜視図である。第３の実施の形態は、第１の実施の形態と同様に第１および第２の筐体に収容される第１および第２の表示ユニットを筐体の開閉動作に基づいて開閉させるものであり、更に、第１および第２の表示ユニットの支持構造を簡素化した点について第１の実施の形態と相違している。
【００５０】
（電子機器の外観構成）
この電子機器１は、第１および第２の表示ユニット４０Ａ，４０Ｂをヒンジ４０２で開閉自在に支持するとともに、第１および第２の表示ユニット４０Ａ，４０Ｂの蛍光灯収容部４５Ａ，４５Ｂをヒンジ４０２で第１および第２の筐体２Ａ，２Ｂに回動自在に支持して構成されている。ヒンジ４０２は、第１および第２の表示ユニット４０Ａ，４０Ｂを回動自在に支持しうる機械的強度とサイズを有する小形のものであり、筐体２Ａ，２Ｂの開閉に伴う機械的強度はヒンジ部３が担うようになっている。
【００５１】
第１の表示ユニット４０Ａは、蛍光管収容部４５Ａに電源を投入する電源スイッチ６、表示ユニット４０Ａ，４０Ｂに表示されるカーソルを移動させてメニューを選択するカーソルスイッチ７、および表示ユニット４０Ａ，４０Ｂに表示する画像のページ送りをページ単位で指示する第１のページ送りスイッチ８Ａを有する。
【００５２】
第２の表示ユニット４０Ｂは、蛍光管収容部４５Ｂに表示ユニット４０Ａ，４０Ｂに表示する画像のページ送りをページ単位で指示する第２のページ送りスイッチ８Ｂのみを設けている。
【００５３】
（表示ユニット４０Ａ，４０Ｂの配置）
図１２から図１４は、第３の実施の形態における表示ユニットの配置を示す動作図である。
【００５４】
図１２は、筐体２Ａ，２Ｂを閉じた状態であり、破線で示す表示ユニット４０Ａ，４０Ｂは筐体２Ａ，２Ｂの上述した段部２００に収容されている。
【００５５】
図１３は、筐体２Ａ，２Ｂを途中まで開いた状態（左右約４５度）を示す図である。表示ユニット４０Ａ，４０Ｂは、ヒンジ部３（第１の支持部）を中心とする筐体２Ａ，２Ｂの開動作に基づいて中央部分のヒンジ４０２を軸にして左右に開かれる。
【００５６】
図１４は、筐体２Ａ，２Ｂをほぼ全開まで開いた状態を示す図である。表示ユニット４０Ａ，４０Ｂは、筐体２Ａ，２Ｂに結合された２つのヒンジ４０２と、表示ユニット４０Ａ，４０Ｂを結合する中央のヒンジ４０２（第２の支持部）が一線状に配置されることにより１８０度に開かれて平坦となる。筐体２Ａ，２Ｂは、表示ユニット４０Ａ，４０Ｂの平坦化に基づいて回動が規制される。
【００５７】
（第３の実施の形態の効果）
上記した第３の実施の形態によれば、表示ユニット４０Ａ，４０Ｂ同士の結合と、表示ユニット４０Ａ，４０Ｂと筐体２Ａ，２Ｂとの結合部分に小形のヒンジ４０２を用いたことにより、表示ユニット４０Ａ，４０Ｂの折り畳み構造を簡素化でき、重量が軽減されて片手においても良好な保持性、操作性を付与することができる。また、表示ユニット４０Ａ，４０Ｂを一定の間隔に近接させることができ、表示ユニット４０Ａ，４０Ｂをひとつの画面部として画像を表示させるような場合でも表示ユニット４０Ａ，４０Ｂの境界が目立たなくなってユーザに違和感を与えることがない。
【００５８】
［第４の実施の形態］
図１５は、第４の実施の形態に係る電子機器を部分的に示し、（ａ）は第１の表示ユニットの斜視図、（ｂ）は第１の表示ユニットの可動端の角部を示す拡大図である。第４の実施の形態は、第１の実施の形態と同様に第１および第２の筐体に収容される第１および第２の表示ユニットを筐体の開閉動作に基づいて開閉させるものであり、更に、筐体と表示ユニットとが開度に関係なく平行に保たれるようにした点について第１の実施の形態と相違している。
【００５９】
（電子機器の外観構成）
この電子機器１は、第１の実施の形態で説明したスライドレール部２００Ａを円弧あるいは複合円弧を基本形として、スムーズな軸移動のために適度な隙間をもたせた曲線状に形成している。スライドレール部２００Ａは、第１の表示ユニット４０Ａの蛍光管収容部４５Ａ側の端部に取り付けられる係合部４１０を摺動自在に支持する。なお、図示しない第１の表示ユニット４０Ｂ側の同部分についても同様に形成されている。
【００６０】
（表示ユニット４０Ａ，４０Ｂの配置）
図１６から図１８は、第４の実施の形態における表示ユニットの配置を示す動作図である。
【００６１】
図１６は、筐体２Ａ，２Ｂを閉じた状態であり、破線で示す表示ユニット４０Ａ，４０Ｂは筐体２Ａ，２Ｂの上述した段部２００に収容されている。表示ユニット４０Ａ，４０Ｂは、軸４００Ａ，４００Ｂによってヒンジ部３（第１の支持部）の外径ｄ2より小なる間隔ｄ1で表示ユニット軸部４００（第２の支持部）に回動自在に支持される。
【００６２】
図１７は、筐体２Ａ，２Ｂを途中まで開いた状態（左右約４５度）を示す図である。表示ユニット４０Ａ，４０Ｂは、筐体２Ａ，２Ｂの開動作に基づいて軸４００Ａ，４００Ｂの間隔ｄ1を保った状態で回動する。また、表示ユニット４０Ａ，４０Ｂと係合している係合突起４１０Ａは、曲線状のスライドレール部２００Ａ，２００Ｂに沿って摺動することにより矢印方向にせり出す。このことにより、表示ユニット４０Ａ，４０Ｂは、筐体２Ａ，２Ｂと平行に保たれる。
【００６３】
図１８は、筐体２Ａ，２Ｂをほぼ全開まで開いた状態を示す図である。表示ユニット４０Ａ，４０Ｂの係合突起４１０Ａは、曲線状のスライドレール部２００Ａ，２００Ｂに沿って更に摺動し、軸４００Ａ，４００Ｂの間隔ｄ1が保たれた状態で図示するように表示ユニット４０Ａ，４０Ｂを平坦に配置する。
【００６４】
（第４の実施の形態の効果）
上記した第４の実施の形態によれば、表示ユニット４０Ａ，４０Ｂに取り付けられた係合部４１０の係合突起４１０Ａと係合するスライドレール部２００Ａ，２００Ｂを曲線状に形成したことにより、表示ユニット４０Ａ，４０Ｂを一定の間隔に近接させた状態で開閉させるとともに、開閉の度合いに関係なく筐体２Ａ，２Ｂと表示ユニット４０Ａ，４０Ｂとが常に平行に保たれる。このため、開閉に伴う美観性に優れるとともに、全開状態では平坦化した表示ユニット４０Ａ，４０Ｂが筐体２Ａ，２Ｂから突出することによって画面の視認性が向上する。
【図面の簡単な説明】
【００６５】
【図１】本発明の第１の実施の形態に係る電子機器の外観を示す斜視図である。
【図２】電子機器を部分的に示し、（ａ）は第１の表示ユニットの斜視図、（ｂ）は第１の表示ユニットの可動端の角部を示す拡大図である。
【図３】電子機器の制御系を示す制御ブロック図である。
【図４】第１の実施の形態における表示ユニットの配置を示す動作図である。
【図５】第１の実施の形態における表示ユニットの配置を示す動作図である。
【図６】第１の実施の形態における表示ユニットの配置を示す動作図である。
【図７】第２の実施の形態に係る電子機器の外観を示し、（ａ）は全体を示す斜視図、（ｂ）は第１および第２の表示ユニットの支持構造を示す部分拡大図である。
【図８】電子機器の筐体の構成を示す斜視図である。
【図９】第２の実施の形態における表示ユニットの配置を示す動作図である。
【図１０】第２の実施の形態における表示ユニットの配置を示す動作図である。
【図１１】第３の実施の形態に係る電子機器の外観を示す斜視図である。
【図１２】第３の実施の形態における表示ユニットの配置を示す動作図である。。
【図１３】第３の実施の形態における表示ユニットの配置を示す動作図である。
【図１４】第３の実施の形態における表示ユニットの配置を示す動作図である。
【図１５】第４の実施の形態に係る電子機器を部分的に示し、（ａ）は第１の表示ユニットの斜視図、（ｂ）は第１の表示ユニットの可動端の角部を示す拡大図である。
【図１６】第４の実施の形態における表示ユニットの配置を示す動作図である。
【図１７】第４の実施の形態における表示ユニットの配置を示す動作図である。
【図１８】第４の実施の形態における表示ユニットの配置を示す動作図である。
【符号の説明】
【００６６】
１、電子機器
２Ａ，２Ｂ、筐体
３、ヒンジ部（第１の支持部）
４Ａ，４Ｂ、画面部
６、電源スイッチ
７、カーソルスイッチ
８Ａ、第１のページ送りスイッチ
８Ｂ、第２のページ送りスイッチ
１３、メモリカード
１４、カードドライブ
１８、通信部
１９、スイッチ信号入力部
２０、ＬＣＤ制御部
３０、軸・ヒンジ部（第１の支持部）
３０Ａ、ガイド溝
４０Ｂ、第１の表示ユニット
４０Ａ、第２の表示ユニット
４１Ａ，４１Ｂ、導光体
４２Ａ，４２Ｂ、蛍光管
４３Ａ，４３Ｂ、反射板
４５Ａ，４５Ｂ、蛍光管収容部
２００、段部
２００Ａ，２００Ｂ、スライドレール部
２０１Ａ，２０１Ｂ、筐体スライドレール部
２０２、スライド軸
４００、表示ユニット軸部（第２の支持部）
４００Ａ，４００Ｂ、軸
４０１、支持プレート（第２の支持部）
４０２、ヒンジ
４１０、係合部
４１０Ａ、係合突起
４０１Ａ，４０１、回動軸
【図１】
2005275964.tif 000003
【図２】
2005275964.tif 000004
【図３】
2005275964.tif 000005
【図４】
2005275964.tif 000006
【図５】
2005275964.tif 000007
【図６】
2005275964.tif 000008
【図７】
2005275964.tif 000009
【図８】
2005275964.tif 000010
【図９】
2005275964.tif 000011
【図１０】
2005275964.tif 000012
【図１１】
2005275964.tif 000013
【図１２】
2005275964.tif 000014
【図１３】
2005275964.tif 000015
【図１４】
2005275964.tif 000016
【図１５】
2005275964.tif 000017
【図１６】
2005275964.tif 000018
【図１７】
2005275964.tif 000019
【図１８】
2005275964.tif 000020